(57)【要約】【課題】  球受皿から発射装置にかけての領域での静電気除去を目的とするとともに、糸付遊技球による不正行為を防止する弾球遊技機を提供する。【解決手段】糸切部材６と、静電気除去用の板金とを一体化した金属製の板金部材７を備え、糸切部材６を発射レール４の脇に配設した。糸切部材６は、２個以上の凹部形状の刃６１，６３を備え、刃６１，６３の間に突条部６２を設け、遊技球Ｂが発射されるときに、刃溝６５，６６に糸が引っ掛かって切れ、板金部材７に帯電した静電気を除去できる。【選択図】        図４
2016026524.tif 000002
【特許請求の範囲】
【請求項１】
球受皿を備えた前板が、
前記球受皿から遊技球を発射レールに供給する遊技球供給装置と、
糸切部材と、静電気除去用の板金とを一体化した板金部材と、を備え、
前記糸切部材を発射レールの脇に配設したことを特徴とする弾球遊技機。
【請求項２】
前記糸切部材が凹部形状の刃を備え、該刃が前記発射レールの発射方向とは逆方向に向いて設けられ、発射レールの遊技球路面より高い位置に配設される請求項１に記載の弾球遊技機。
【請求項３】
前記糸切部材は、前記遊技球路面よりも遊技球１個以上、高い位置に配置された請求項１又は２の弾球遊技機。
【請求項４】
前記板金部材は、平板の一部が突出するとともに、該一部が折り曲げられることにより、前記糸切部材が形成される請求項１乃至請求項３のいずれか１項に記載の弾球遊技機。
【請求項５】
前記板金部材の裏面にカバーを設けた請求項１乃至４いずれか１項に記載の弾球遊技機。
【請求項６】
前記板金部材は前記糸切部材よりも面積が大きく設定された請求項１乃至５いずれか１項に記載の弾球遊技機。
【発明の詳細な説明】
【技術分野】
【０００１】
本発明は、不正行為防止機能と静電気除去機能を備えた弾球遊技機に関する。
【背景技術】
【０００２】
特許文献１に記載の発明は、機構板における開放側の側端部に金属性の補強杆を固着することにより機構板の強度を増すと共に静電気の除去も可能とした遊技機を提供するため、遊技盤３の裏面が臨む開口６を開設した合成樹脂製の機構板４を内枠１０の裏面一側に開閉自在に軸着し、機構板４における開放側の側端部に金属性の補強杆２６を縦方向に配置すると共に該補強杆２６の上下両端部を前記開口６の上下に位置する上・下横板部８ａ，８ｂにそれぞれ固着し、補強杆２６には機構板４の適宜部位に配置され静電気を除去するためのアース部材３７ａ，３７ｂを電気的に接続してなる構成とした。
【先行技術文献】
【特許文献】
【０００３】
【特許文献１】特開２００７−１３００８６号公報
【発明の開示】
【発明が解決しようとする課題】
【０００４】
ところが、従来の弾球遊技機における静電気除去の設計思想では、機構板に装着されている基板ケース内の配線基板への悪影響の除去を目的としているため、他の部位への静電気除去措置がおろそかになっていた。
【０００５】
また、近年では、遊技球に糸を取り付けて、この糸による不正行為が流行しており、それに対する対策が未だ十分なものではない。
【０００６】
本発明は、上記現状に鑑み、球受皿から発射装置にかけての領域での静電気除去を目的とするとともに、糸付遊技球による不正行為を防止する弾球遊技機を提供することを目的とする。
【課題を解決するための手段】
【０００７】
本発明は、球受皿を備えた前板が、前記球受皿から遊技球を発射レールに供給する遊技球供給装置と、糸切部材と、静電気除去用の板金とを一体化した板金部材と、を備え、前記糸切部材を発射レールの脇に配設したことを特徴とする弾球遊技機である。
【０００８】
前記糸切部材が凹部形状の刃を備え、該刃が前記発射レールの発射方向とは逆方向に向いて設けられ、発射レールの遊技球路面より高い位置に配設されることが好ましい。刃の数は任意であるが、２個以上が例示できる。糸切部材は遊技球供給装置、前板、発射レール等の部品に固定されても、遊嵌されてもよい。遊嵌される場合には、糸が刃に当たるときに、糸切部材がガタつくことで、糸が一層切れやすくなる。
【０００９】
前記糸切部材は、前記遊技球路面よりも遊技球１個以上、高い位置に配置されることが好ましい。
【００１０】
前記板金部材は、平板の一部が突出するとともに、該一部が折り曲げられることにより、前記糸切部材が形成されることが好ましい。
【００１１】
前記板金部材の裏面にカバーを設けたことが好ましい。
【００１２】
前記板金部材は前記糸切部材よりも面積が大きく設定されたことが好ましい。
【発明の効果】
【００１３】
本発明によれば、球受皿から発射装置にかけての領域での静電気除去を可能にするとともに、また、糸付遊技球が発射されるときに、糸が糸切部材に引っかかって切れることにより、不正行為を未然に防止できる。
【００１４】
前記糸切部材が２個以上の凹部形状の刃を備え、該刃が発射レールとは逆方向に向き、発射レールの遊技球路面より高い位置に配設されるので、確実に遊技球に付着した糸の糸切が可能となる。
【００１５】
前記糸切部材は、発射レールの遊技路面よりも遊技球１個以上、高い位置にあるので、遊技球に随伴する糸の動きに対応することができる。
【００１６】
前記板金部材は、平板の一部が突出するとともに、該一部が折り曲げられるので、軽量であり、製造容易であり、糸の捕捉が容易である。
【００１７】
前記板金部材の裏面にカバーを設けたので、板金部材への破壊工作を防止できる。
【００１８】
前記板金部材は前記糸切部材よりも面積が大きく設定されたので、遊技球の発射の邪魔にならず、コンパクトな寸法にできる。
【図面の簡単な説明】
【００１９】
【図１】本発明に係る実施形態の弾球遊技機の内枠に対して前板が閉じた状態の正面図である。
【図２】本発明に係る実施形態の弾球遊技機の内枠に対して前板が開放した状態の斜視図である。
【図３】本発明に係る実施形態の弾球遊技機の遊技球供給装置の裏面図である。
【図４】本発明に係る実施形態の弾球遊技機の遊技球供給装置の分解斜視図である。
【図５】本発明に係る実施形態の弾球遊技機の遊技球供給装置と遊技球発射レールの関係を示す裏面図である。
【図６】本発明に係る実施形態の弾球遊技機の遊技球供給装置の裏面から見た斜視図である。
【図７】（ａ）〜（ｃ）は、本発明に係る実施形態の弾球遊技機の遊技球発射装置の詳細図である。
【発明を実施するための形態】
【００２０】
本実施形態の弾球遊技機１は、図１〜７に示すものであり、図１、図２に示す通り、球受皿２を備えた前板３が、遊技球Ｂ（図５参照）を球受皿２から発射レール４に供給する遊技球供給装置５と、糸切部材６（図３〜図６参照）と、静電気除去用の板金とを一体化した金属製の板金部材７と、を備え、糸切部材６を発射レール４の脇に配設したことを特徴とする。
【００２１】
糸切部材６は、図４に示す通り、２個以上の凹部形状の刃６１，６３を備え、刃６１，６３の間に板状の突条部６２が突出するように設けている。刃６１，６３、突条部６２は、図５に示す通り、発射レール４の発射方向とは逆方向に向き、発射レール４の遊技球路面４１より高い位置で、発射レール４の脇にある球供給装置５の部位に配設される。糸切部材６と板金部材７とは板金で一体形成され、糸切部材６が板金部材７に対して折曲部６４で折り曲げられていて、発射レール４の近傍まで飛び出している。刃６１，６３の間には刃溝６５，６６が形成されている。刃溝６５，６６は板材が切り込まれることで形成されている。突条部６２は発射レール４の側に折り曲げられ、糸の捕捉を容易にしている。突条部６２は発射レール４と遠ざかる側に折り曲げられていてもよい。
【００２２】
糸切部材６があまり出すぎると遊技球Ｂに当たってしまうので、当たらない程度に飛び出している。高さは、発射レール４の遊技球路面４１の面から遊技球Ｂ１個以上２個以下の高さが好ましい。不正行為目的で、遊技球Ｂに糸が付着されていて、発射の際に、遊技球に随伴して糸が動く場合には、空気力学で、糸が浮遊しながら移動するので、上に位置する方が糸が引っ掛かりやすい。
【００２３】
板金部材７は、板金形状で、固定のための溝７３（図４参照）が設けてある。遊技球Ｂが発射されるときに、刃６１，６３に糸が引っ掛かって、遊技球Ｂの勢いで糸がプチッと切れて不正行為を防止するものである。糸切部材６は基本的にカッターであり、二股形状で軽量にして、より糸を捕捉しやすくした構造である。
【００２４】
２つの刃６１，６３の間に刃溝６５，６６を設けてあるので、糸がそこに入りやすくなり、切断効率が高くなる。糸切部材６と板金部材７とを一体化させるので、製造が容易であり、コストも削減できる。さらに、板金部材７が配置された領域は、発射レール４の近傍であり、遊技球Ｂが常に流れるところなので、静電気が帯電し易く、静電気対策も兼ねている。
【００２５】
板金部材７からは、発射レール４とは平行に配置され、また、平板の一部が発射レール４の発射方向とは逆方向に突出するとともに、この一部が発射レール４の発射位置側の辺で折り曲げられて、糸切り部材６が形成されるとともに、糸切部材６が、発射レール４の遊技球路面４１の発射方向とは逆方向に向かうように刃溝６５，６６が切り欠かれ、また、固定のための溝７３（図４参照）が設けてある。そのため、発射方向から糸が流れてきた場合には、糸を捕捉でき、その切断が可能となる。
【００２６】
この板金部材７がないとすると、ライター等で隔壁を溶かして、穴を開け、直接、糸や針金のついた球を入れたり、アタッカー等の入賞口を針金で伸ばして開け、不正行為を行う可能性がある。板金部材７の防犯効果により、不正行為が未然防止できる。
【００２７】
板金部材７の裏面にカバー７１を設け、板金部材７を裏から押さえている。カバー７１はプラスチック製であるが、材料は適宜選択可能である。カバー７１は溝７３に対応した溝７４を備えている。カバー７１で板金部材７を被覆しているので、一層、不正行為の防止効果を高めることができる。
【００２８】
糸切部材６の刃６１，６３を発射のスタート位置の先で、球が進んだ先の遊技球Ｂの一個分くらいあけて上の方で、発射レール４の脇に位置させている。糸切部材６は遊技球Ｂの発射に邪魔にならないが、できる限り発射レール４の近傍の位置に配置する。
【００２９】
板金部材７は基本的には図示の領域に配置されることが好ましいが、これに限定されるわけではなく、領域を拡大してもよい。ここでは、板金部材７とは別体の面積の大きな板金部材９を別の位置に設けてある。ここでは、糸切部材６に対する板金部材７の面積比率は、５０〜７０倍に設定されるが、適宜変更可能である。板金部材９は前板３の裏面全体に一枚ものとして設けている。静電気除去用に板金７，９を種々なる態様で設けることが可能である。板金部材９は前板３の裏側の全領域を被覆しているが、一部領域を被覆してもよい。
【００３０】
静電気除去については、板金部材７の他に、図２に示す板金部材９が前板３の裏側に設けられ、アース導線（図示略）で板金部材７と板金部材９につなぐか、或は、板金部材７と板金部材９を直接的に物理接触させるか等、電気的に大地と連絡することで、静電気を大地に逃がすようになっている。
【００３１】
次に弾球遊技機１の他の構成について、図１、図２、図７等を参照し説明する。外側に縦長長方形状の外枠（図示略）を有し、その前面に内枠１０がその一側を支点として開閉自在に装着され、内枠１０に遊技盤（図示略）が設置される。外枠（図示略）及び内枠１０を合わせて遊技機本体を構成する。内枠１０の前面の一側に遊技盤（図示略）の前面を覆う透明板保持枠（図示略）が開閉自在に軸着され、その下方に位置して、発射レール４へ供給される遊技球Ｂを貯留する上部の球受皿２が装着された前板３が、内枠１０の前面の一側に開閉自在に軸着される。
【００３２】
前板３の前面であって上部の球受皿２の下方に、上部の球受皿２から溢れる遊技球Ｂを貯留する下部の球受皿１１が装着される。これら球受皿２，１１は前覆い枠１２により上下で連続して一体に成形されており、その前面に下部の球受皿１１に手を差し込める開口１３が開設される。開口１３の下方の前覆い枠１２の前面に、下部の球受皿１１に溜まった遊技球Ｂを正面から見て左右方向へ摺動して球抜きするための球抜きレバー１４が設けられる。球受皿１１の一側には凹弧状に切り欠かれると共にその切り欠かれた凹弧状部１５に内枠１０の下隅角部に設けられ前方ヘ突出する突出隅部１６が合致する。突出隅部１６の前面には、遊技球Ｂの発射力を調整するための遊技球力調整ハンドル１７が装着されている。
【００３３】
前板３には、その軸着側に内枠１０の裏側に装着される球払出装置（図示略）から払い出された遊技球Ｂを上部の球受皿２に払い出すための球払出口１８が開設される。
【００３４】
球受皿２には球抜きボタン１９が設けてある。球抜きボタン１９の押し下げにより、遊技球Ｂが球受皿２から球受皿１１に流れる。
【００３５】
図２〜図６に示す通り、前板３の裏面であって、その開放側寄りに、上部の球受皿２に貯留される遊技球Ｂを導き入れ、発射レール４の発射位置に一個ずつ供給するための遊技球供給装置５が取着される。図４〜図６に示す通り、遊技球供給装置５には、その裏面に遊技球発射部８と対向位置して供給口２０が設けられ、その一側に上部の球受皿２に貯留される遊技球Ｂを球抜きする場合の球抜き口２１が設けられている。遊技球供給装置５の下方であって前板３に、球抜き口２１から排出される球抜き時の遊技球Ｂを下部の球受皿１１に排出するための球排出口２２（図２参照）が開設される。
【００３６】
遊技球供給装置５には、ボックス状のプラスチック本体の他に、軸を中心として揺動することにより遊技球Ｂを１球ごとに発射位置に送る球送り機構５１と、前板３の裏側に固定するための取付部５２と、カバー７１を収容する凹部５３と、糸切部材６と板金部材７とカバー７１を取り付けるための係合爪５４と、を備えている。凹部５３とは反対側（背面側）の空間領域に遊技球Ｂが流れるようになっている。糸切部材６と板金部材７は、係合爪５４に固定されてもよいし、遊嵌されてもよい。糸切部材６と板金部材７を係合爪５４に遊嵌する場合、糸が糸切部材に当たるときに、糸切部材６と板金部材７がガタつくことで、固定する場合に比べて、糸が一層切れやすくなる。これに代えて、遊技球供給装置５自体が前板３に遊嵌されても同様の効果が得られる。なお、糸切部材６は、発射レール４に配置されてもよい。
【００３７】
図２に示すように前板３の開放側であってその裏面に、凹弧状部１５の上方と側方に位置してそれぞれ前板３を遊技機本体の内枠１０前面に施錠するための係合片２３が設けられている。
【００３８】
図２に示す通り、内枠１０の前面であって発射レール４側の下隅角部に正面を向くようにして金属製の支持板２９が固着される。支持板２９は、上方へ突出する上板部２９ａと側方（内側）へ突出する側板部２９ｂとから正面Ｌ字状に成形され、その交差する角部に遊技球力調整ハンドル１７が取着される。また、上・側板部２９ａ，２９ｂに各係合片２３，２３に対応位置して略縦長長方形状の係合孔３０，３０が開設され、各係合片２３，２３の係合爪２５がそれぞれ係合孔３０，３０に係合することにより、前板３が内枠１０の前面に施錠されることになる。
【００３９】
図２、図５、図７に示すように、遊技機本体を構成する内枠１０の前面に発射レール４が装着され、発射レール４の一側に遊技球発射部８が装着される。遊技球発射部８には、遊技球供給装置５から発射レール４のスタート位置に供給された遊技球Ｂを打撃する打撃槌８１が回動自在に軸着されている。この打撃槌８１は駆動源である発射モータ８３により駆動し、遊技球力調整ハンドル１７の回動動作に合わせてその遊技球Ｂの強さの強弱が調節できるようになっている。
【００４０】
図７（ａ）〜（ｃ）に示す通り、遊技球Ｂを発射する遊技球発射部８は、モータ取付プレート８２と、モータ取付プレート８２に固定される発射モータ８３と、打撃槌８１を付勢するバネ部８４と、遊技球力調整ハンドル１７の軸を差し込んで固定する固定部８５とを備えたものである。遊技球発射部８自体は周知であるので、詳細な説明は割愛するが、遊技球発射部８は、遊技球力調整ハンドル１７の裏側に取り付けられ、遊技球力調整ハンドル１７を操作することで、発射モータ８３が回転して打撃槌８１を駆動する。打撃槌８１は発射モータ８３とバネ部８４との作動により発射レール４（図５参照）を介して遊技球Ｂを遊技盤（図示略）に向かって発射する。
【００４１】
遊技球力調整ハンドル１７は、その基端部を支持板２９に開設された取付孔に挿通すると共に支持板２９の裏側に突出した基端部を抜け止め機構により固定することにより装着される。支持板２９の前面であって突出隅部１６に相当する部位には、カバー部材３５が装着される。なお、図示は省略するが、遊技球力調整ハンドル１７、遊技球供給装置５、遊技球発射部８は、それぞれ中央制御装置（図示略）に電気的に接続され、制御される。
【００４２】
通常は、図２に示すように、前板３側の各係合片２３の係合爪２５が各支持板２９の各係合孔３０に係合して、前板３が施錠されている。この場合、その上方にある透明板保持枠（図示略）の下縁と前板３の上縁とがほぼ接触しており、透明板保持枠（図示略）を開かない限り前板３が開かないようになっている。なお、透明板保持枠（図示略）は、内枠１０の前面開放側であって所定の位置に設けられた錠３６に鍵（図示略）を挿すことにより施錠又は開錠できる。
【００４３】
次に本実施形態の動作について説明する。上部の球受皿２に貯留された遊技球Ｂは遊技球供給装置５内を流れ、供給口２０を経て、発射位置に待機され、この状態で遊技球力調整ハンドル１７を握って回動させることにより打撃槌８１が往復回動する。これに伴い、待機していた遊技球発射部８により遊技球Ｂが打撃され、次々に発射位置に遊技球Ｂが一個ずつ供給される。
【００４４】
このように供給された遊技球Ｂが糸の付いた不正球である場合に、これを打撃槌８１で打撃すると、遊技球路面４１の上を遊技球Ｂが飛んでゆく途中で、遊技球Ｂに随伴して移動する糸が刃６１，６３の刃溝６５，６６に引っ掛かり、飛んでゆく勢いで糸が切れる。そして、糸が切れた遊技球Ｂは、遊技部領域に打ち込まれる。
【００４５】
以上説明した通り、本実施形態によれば、球受皿２から遊技球発射部８にかけての領域で、板金部材７，９によって、静電気除去を可能にするとともに、不正行為を目的として糸付遊技球が発射されたときに、糸が糸切部材６に引っ掛かって切れることにより、不正行為を未然に防止できる。
【００４６】
糸切部材６が２個以上の凹部形状の刃６１、６３を備え、刃６１，６３が発射レール４の発射方向とは逆方向に向き、発射レール４の遊技球路面４１より高い位置に配設されるので、確実に糸切が可能となる。
【００４７】
刃６１，６３の位置は、遊技球路面４１よりも遊技球１個以上高い位置であるので、遊技球Ｂの発射により遊技球Ｂに随伴する糸の動きに対応することができる。
【００４８】
板金部材７は、平板の一部が突出するとともに、その一部が折り曲げられるので、軽量となり、製造が容易となり、糸の捕捉が容易となる。板金部材７により、隔壁の突破による不正効果を防止できる。
【００４９】
板金部材７の裏面にカバー７１を設けたので、板金部材７への破壊工作を防止できる。
【００５０】
なお、本発明は、上述の実施の形態に限定されるものではなく、本発明の技術的思想を逸脱しない範囲において、改変等を加えることが出来、それらの改変、均等物等も本発明の技術的範囲に含まれる。例えば、糸切部材６の刃の数は、２つの刃６１，６３としたが、これに限らず、１枚、３枚、４枚等、適宜数で構成することが可能である。糸切部材６を板金部材7の折り曲げと切り欠き加工によって形成したが、板金部材７の溝にカッターとしての糸切部材６を差し込んで固定する構造でもよい。
【符号の説明】
【００５１】
１…弾球遊技機
２…球受皿
３…前板
４…発射レール
４１…遊技球路面
５…遊技球供給装置
６…糸切部材
６１，６３…刃
６２…突条部
６４…折曲部
６５，６６…刃溝
７…板金部材
７１…カバー
８…遊技球発射部
８１…打撃槌
８２…モータ取付プレート
８３…発射モータ
８４…バネ部
８５…固定部
９…板金部材
１０…内枠
１１…球受皿
１２…前覆い枠
１３…開口
１４…球抜きレバー
１５…凹弧状部
１６…突出隅部
１７…遊技球力調整ハンドル
１８…球払出口
１９…球抜きボタン
２０…供給口
２１…球抜き口
２２…球排出口
２３…係合片
２９…支持板
２９ａ…上板部
２９ｂ…側板部
３０…係合孔
３５…カバー部材
３６…錠
５１…球送り機構
５２…取付部
５３…凹部
５４…係合爪
【図１】
2016026524.tif 000003
【図２】
2016026524.tif 000004
【図３】
2016026524.tif 000005
【図４】
2016026524.tif 000006
【図５】
2016026524.tif 000007
【図６】
2016026524.tif 000008
【図７】
2016026524.tif 000009